(57)【要約】【課題】上記のように、映像表示装置において、サムネイルや関連付けられた情報を整理して表示することでコンテンツの情報を分かりやすくユーザに提供することが行われている。しかし、具体的な方法については充分ではなく、ユーザがコンテンツ中に現れる人物について確認したい場合等、直感的な把握を行いにくいといった課題があった。【解決手段】映像コンテンツの一覧表示を行う映像表示装置において、人物の名前と前記人物の画像上の特徴量からなるデータベースと、特定の人物の人物名を指定する手段と、映像コンテンツ中から、データベースを用いて、指定された人物名の人物が表示されるシーンを検出する人物映像シーン検出手段を備える。そして、検出したシーンの一部または全部の、映像コンテンツ中の位置またはその近傍を、一覧表示における映像コンテンツ中の動画または静止画の表示位置として用いる。【選択図】  図４
2015038640.tif 000002
【特許請求の範囲】
【請求項１】
１個以上の映像コンテンツの一部である動画または静止画の画像を含み、前記映像コンテンツの一覧表示を行う映像表示装置において、
人物の名前と前記人物の画像上の特徴量からなるデータベースと、
特定の人物の人物名を指定する手段と、
前記映像コンテンツ中から、前記データベースを用いて、前記指定された人物名の人物が表示されるシーンを検出する人物映像シーン検出手段を備え、
前記検出したシーンの一部または全部の、映像コンテンツ中の位置またはその近傍を、前記一覧表示における前記映像コンテンツ中の動画または静止画の表示位置として用いることを特徴とする映像表示装置。
【請求項２】
前記映像コンテンツの表示を行う映像コンテンツ表示手段と、
前記映像コンテンツの表示に基づいて、表示された人物と人物名の対応付けを行う人物対応付け手段と、
前記表示された人物の画像上の特徴量を抽出する手段と、
前記抽出した人物の画像上の特徴量と人物名からなるデータを前記データベースに追加するデータベース更新手段をさらに備えることを特徴とする請求項１の映像表示装置。
【請求項３】
前記録画コンテンツの表示において、表示画面の一部をハイライト表示することにより、特定の人物を指定可能にする人物ハイライト手段をさらに備えることを特徴とする請求項２に記載の映像表示装置。
【請求項４】
前記表示人物との対応付けに用いられる人物名はリスト表示されることを特徴とする請求項２または３に記載の映像表示装置。
【請求項５】
前記映像コンテンツは予め録画されていることを特徴とする請求項１乃至４に記載の映像表示装置。
【請求項６】
前記検出された人物映像シーンを指定可能に表示する表示手段をさらに備えることを特徴とする請求項１乃至５に記載の映像表示装置。
【請求項７】
前記特徴量は人物の顔の特徴量であることを特徴とする請求項１乃至６に記載の映像表示装置。
【請求項８】
１個以上の映像コンテンツの一部である動画または静止画の画像を含み、前記映像コンテンツの一覧表示を行う映像表示方法において、
特定の人物の人物名を指定するステップと、
前記映像コンテンツ中から、人物の名前と前記人物の画像上の特徴量からなるデータベースを用いて、前記指定された人物名の人物が表示されるシーンを検出するステップを備え、
前記検出したシーンの一部または全部の、映像コンテンツ中の位置またはその近傍を、前記一覧表示における前記映像コンテンツ中の動画または静止画の表示位置として用いることを特徴とする映像表示方法。
【請求項９】
前記映像コンテンツの表示を行うステップと、
前記映像コンテンツの表示に基づいて、表示された人物と人物名の対応付けを行うステップと、
前記表示された人物の画像上の特徴量を抽出するステップと、
前記抽出した人物の画像上の特徴量と人物名からなるデータを前記データベースに追加するステップをさらに備えることを特徴とする請求項８に記載の映像表示方法。
【請求項１０】
前記特徴量は人物の顔の特徴量であることを特徴とする請求項８または９に記載の映像表示方法。
【発明の詳細な説明】
【技術分野】
【０００１】
本発明の実施形態は、映像コンテンツから所定のシーンを抽出して表示する映像表示装置に関する。
【背景技術】
【０００２】
現在、放送受信装置で受信した放送番組等の映像コンテンツを蓄積ストレージ等の記録装置に録画し、視聴することが行われている。
また、この録画された映像コンテンツを一覧表示することも行われている。
この映像コンテンツの一覧表示の際に、サムネイルや関連付けられた情報を整理して表示することでコンテンツの情報を分かりやすくユーザに提供することも行われている。
【０００３】
しかし、録画された映像コンテンツからサムネイル画像を抽出する具体的手段については、ユーザの利便性という点で充分ではなく、更なる改善が望まれていた。
【先行技術文献】
【特許文献】
【０００４】
【特許文献１】特開2010-34679号公報
【発明の概要】
【発明が解決しようとする課題】
【０００５】
上記のように、映像表示装置において、映像コンテンツの表示の際に、サムネイルや関連付けられた情報を整理して表示することでコンテンツの情報を分かりやすくユーザに提供することが行われている。
【０００６】
しかし、例えば、映像コンテンツからサムネイル画像を抽出する具体的な方法については開示が充分ではなく、ユーザがコンテンツ中に現れる人物について確認したい場合等、直感的な把握を行いにくいといった課題があり、これを解決する技術の登場が望まれていた。
【課題を解決するための手段】
【０００７】
実施形態の映像表示装置は、１個以上の映像コンテンツの一部である動画または静止画の画像を含み、前記映像コンテンツの一覧表示を行う映像表示装置に係る。
そして、人物の名前と前記人物の画像上の特徴量からなるデータベースと、特定の人物の人物名を指定する手段と、前記映像コンテンツ中から、前記データベースを用いて、前記指定された人物名の人物が表示されるシーンを検出する人物映像シーン検出手段を備える。
【０００８】
そして、前記検出したシーンの一部または全部の、映像コンテンツ中の位置またはその近傍を、前記一覧表示における前記映像コンテンツ中の動画または静止画の表示位置として用いる。
【図面の簡単な説明】
【０００９】
【図１】実施形態に係わる映像表示装置の構成を示すブロック図。
【図２】実施形態に係わる人物・顔データベースの要素を示す図。
【図３】実施形態に係わる映像表示装置において、映像コンテンツから抽出された人物映像シーンを指定可能にする手段を示す図。
【図４】実施形態に係わる映像表示装置において、人物名に対応付けられた人物が登場する映像シーンを表示する図。
【図５】実施形態に係わる映像表示装置において、抽出を行う人物を表示しながら人物と人物名が登録され、表示された人物と人物名が対応付けて記憶される手段を示す図。
【図６】実施形態に係わる映像表示装置において、抽出を行う人物として例えば複数の人物が表示された場合に、ハイライト表示した人物と人物名が登録され、表示された人物と人物名が対応付けて記憶される手段を示す図。
【図７】実施形態に係わる映像表示装置で、人物・顔データベースへのデータの登録を含む動作を説明するフローチャート。
【図８】実施形態に係わる映像表示装置において、人物名に対応付けられた人物が登場する映像シーンを表示するために行われる動作を説明するフローチャート。
【発明を実施するための形態】
【００１０】
（実施例１）
以下、図面を参照し、この発明の実施形態を説明する。
図１は、実施形態に係わる映像表示装置の構成を示すブロック図である。
符号101は映像表示装置である。映像コンテンツを蓄積し、表示する。符号102は映像表示装置内部に構成される制御バス、符号103は制御部、符号104はＲＯＭ、符号105はＲＡＭである。
【００１１】
また、符号106 はEPGデータ保存手段、符号107はメタデータ保存手段、符号108はコンテンツ保存手段、符号109は人物・顔データベースである。
符号111は通信部、符号112はチューナ、符号113は信号入出力部、符号114は表示画面生成手段、符号115は映像音声演算部、
また、符号116は顔検出部、符号117は顔特徴量抽出部、符号118は顔認識部である。
映像表示装置101は、制御部103を備えており、制御バス102を介して接続された各種デバイスを制御する。
また、この映像表示装置101は、例えば、録画機能付きデジタルテレビ、Blu-ray/HD DVD/DVD/HDD/VHSレコーダ、録画機能/AV機能付きPC等がある。
【００１２】
ROM104には、制御部103の制御プログラムが予め記憶されている。また、RAM105は、制御部103のワークメモリとして使用される。
通信部111は例えば、LANなどのネットワーク手段である。インターネット等から必要なデータやコンテンツデータを取得することが可能である。
チューナ112は、地上デジタル放送やBS/CS放送を受信する放送受信手段である。放送番組を選局受信し、その放送番組に含まれる映像信号、音声信号、EPGデータ等を取得する。
【００１３】
信号入出力部113は、HDMI、USB、DVなどの画像音声入出力手段である。
表示画面生成手段114は、動画や静止画のサムネイルを含むコンテンツ一覧表示画面や、映像信号を動画に変換した画面等、表示画面を生成する手段である。
映像音声演算部115は、通信部111、チューナ112、信号入出力部113を通して入出力された映像信号、画像信号のエンコード処理やデコード処理を行う。
メタデータ保存手段107は、取得した映像コンテンツやEPGデータに関するメタデータを保存する記録手段である。メタデータとしては放送番組やコンテンツのジャンル、AVフォーマット、コンテンツの容量などが含まれ、映像コンテンツに関連付けて保存する。
【００１４】
コンテンツ保存手段108は、チューナ112により取得された放送番組や、通信部111や信号入出力部113により取得されたコンテンツを保存すると共に、それらを一覧表示するためのサムネイルデータなどを保存する。
【００１５】
EPGデータ保存手段106は、通信部111やチューナ112により取得されたEPGデータを保存する。EPGデータには、各放送番組の放送局名、放送番組名、番組開始時刻、番組終了時刻、出演者、番組のジャンル、等のデータが含まれる。
【００１６】
図２は、実施形態に係わる人物・顔データベースの要素を示す図である。
符号401は人物・顔データベース要素である。人物・顔データベース要素401は、後述する人物名402と人物名に対応付けられた人物の、顔の特徴量403から構成される。
【００１７】
この実施形態は、この人物・顔データベース要素401から、人物・顔データベース109を構築する。
顔の特徴量403は、顔を画像処理して抽出した特徴量である。ここでは、例えば特開2009-88904に示されるような複数の要素からなるベクトルデータである。人物名は、グループ名やコンビ名など複数人数からなる集団に対して割り当てられる場合があるが、集団のメンバーの個々人に対して顔の特徴量を登録できるように、顔の特徴量403は複数個を指定できるようにしてもよい。
【００１８】
上記のように、人物名402と人物名に対応付けられた人物の顔の特徴量403が、人物・顔データベース109に構築され、記憶される。この記憶された人物名に対応付けられた人物が登場する映像シーンを、映像コンテンツから、顔の特徴量を用いた認識により検出することで、人物映像シーンが検出される。将来同じ人物の検出が行われることに備え、メタデータ保存手段107は、人物名と人物映像シーンの位置についてのメタデータを生成し、コンテンツと関連付けて保存するようにしてもよい。
【００１９】
人物名についての人物映像シーンの位置についてのメタデータがすでに保持されている場合は、人物映像シーンの位置の検出処理を省略することができる。
図３は、実施形態に係わる映像表示装置において、映像コンテンツから抽出された人物映像シーンを示す図である。
符号501は映像コンテンツ中で検出された、人物映像シーンを示す例である。
符号502、符号503はそれぞれコンテンツの最初と最後を示している。
また、符号504、符号505、符号506、符号507は、上記人物が登場するそれぞれ、１番目、２番目、３番目、４番目の人物映像シーンの位置を示している。
映像表示装置へのコンテンツの表示において、例えば、この検出された人物映像シーンの位置の一部または全部を循環的に選択し、コンテンツのその位置のサムネイル等の静止画または動画を表示してもよい。
【００２０】
また、コンテンツ中の人物映像シーンの位置を、図3のような構成で映像表示装置101の映像表示部（図示せず）に実際に表示し、ユーザが、リモートコントローラ等を用いて指定した位置について、検出された人物映像シーンのサムネイル等の静止画や動画を表示することも可能である。
【００２１】
図４は、実施形態に係わる映像表示装置において、人物名に対応付けられた人物が登場する映像シーンを表示する図である。
上記のように、人物・顔データベース109に構築され、記憶された人物名402と人物名に対応付けられた人物の情報が用いられる。
ここでは、人物検索に基づいて、映像表示部にサムネイル画像が表示される例を示す。
符号601は映像表示部に表示される表示画面の一例である。
符号602は、人物検索であることの表示である。符号６０３は人物検索で検索された人物名が符号610で示されるようにＢ川Ｏ子であることを示している。
符号６０７は、人物検索で検索された複数のサムネイル画像である。上記のように、人物名に対応付けられた人物が登場する映像シーンが検索されるため、どの画像にもＢ川Ｏ子が登場する。
【００２２】
符号608は、例えば、記録日付、タイトル、ジャンル、出演者等、検索された画像に係る情報の表示である。
符号609はカーソル表示の表示例である。例えば、ユーザが図示しないリモートコントローラ等を用いて画面をアップダウン操作し、スクロール等により、表示されていない検索画像を表示させることが可能である。
【００２３】
ここで、図4の表示を行うための動作について、図８を用いて説明する。
図８は、実施形態に係わる映像表示装置において、人物名に対応付けられた人物が登場する映像シーンを表示するために行われる動作を説明するフローチャートである。
【００２４】
符号４０は映像表示装置において検索対象の個々のコンテンツ全てについて行われる動作である。符号５０は映像表示装置においてコンテンツ人物検索結果中の表示対象コンテンツ全てについて行われる動作である。
【００２５】
まず符号40の動作について、検索対象の個々のコンテンツについての動作を説明する。
符号S40はコンテンツのEPG情報/メタ情報と人物名のマッチングを行うステップである。続いて符号S41を付したステップへ進む。
符号S41はEPG情報/メタ情報と人物名がマッチングするか否かを判断するステップである。EPG情報/メタ情報と人物名がマッチングすると判断された場合は符号S42を付したステップへ進む（Y）。EPG情報/メタ情報と人物名がマッチングすると判断されない場合は、当該コンテンツについての処理を終了する。
【００２６】
符号S42はコンテンツ人物検索の結果に当該コンテンツを追加するステップである。上記処理を行うことにより、例えば、図４に示すサムネイル表示対象のコンテンツの候補が追加される。続いて当該コンテンツについての処理を終了する。
【００２７】
上記の符号40の動作を全ての検索対象のコンテンツについて行った後、続いて、得られたコンテンツ人物検索の結果のコンテンツ全てについて、符号50を付した動作を行う。
【００２８】
次に符号50の動作について、コンテンツ人物検索の結果の個々のコンテンツについての動作を説明する。
符号S50は人物名について、顔検出位置は取得済みか否かを判断するステップである。人物名について、顔検出位置は取得済みであると判断された場合は符号S52を付したステップへ進む（Y）。人物名について、顔検出位置は取得済みであると判断されない場合は符号S5１を付したステップへ進む（N）。
【００２９】
符号S51は人物名について顔認識し、顔検出位置を求めるステップである。続いて、符号S52を付したステップへ進む。
符号S52は顔検出位置を用いてサムネイル表示を開始するステップである。これにより、図4に示すようなサムネイル表示が当該コンテンツについて行われる。続いて、当該コンテンツについての処理を終了する。
【００３０】
図５は、実施形態に係わる映像表示装置において、抽出を行う人物を表示しながら人物と人物名が登録され、表示された人物と人物名が対応付けて記憶される手段を示す図である。
【００３１】
この映像表示装置１０１においては、映像コンテンツから、人物が登場するシーンを抽出して表示するために、表示された人物の顔の特徴量と人物名が対応付けて記憶される。
【００３２】
まず、録画された録画コンテンツが映像表示装置１０１の映像コンテンツ表示部に表示される。ここでは、人物との対応付けが行われる人物が表示される。  続いて、この人物との対応付けが行われる人物が表示された録画コンテンツに、表示人物との対応付けに用いられる人物名が重ねてリスト表示される。
【００３３】
そして、上記のようにユーザ操作により、表示された人物から抽出した顔の特徴量と人物名が対応付けられ、この情報が、例えば、人物・顔データベース１０９に記憶される。
【００３４】
そして、上記のように、人物・顔データベース１０９に記憶された情報を用い、映像コンテンツから、人物名に対応付けられた人物が登場する映像シーンが検出される。このとき、ここでは、上記のように、顔の特徴量を用いた検出が行われる。
【００３５】
符号７０１は、人物が登場するシーンを抽出して表示するために表示される人物と人物名が対応付けて記憶されるための表示画面の一例である。この表示は、映像表示装置１０１の表示部に表示される。
【００３６】
符号７０２は、ここでは、人物名が対応付けて記憶される対象人物である。
符号７０３は、表示人物との対応付けに用いられる人物名のリストである。ここでは、人物名として、複数の候補が表示されている。この人物名のリストは、表示人物が認識できるように、表示人物と並べて、重ねて、リスト表示される。
【００３７】
符号７０４は、このリストが人物名入力メニューであることを示している。上記のように、人物名として、複数の候補が表示されており、ここでは、候補者として、Ａ山Ｎ男、Ｂ川Ｏ子、Ｃ田Ｐ造、Ｄ木Ｑ美、Ｅ藤Ｒ太、その他が表示されている。
【００３８】
符号７０５は、表示人物に対応付けを行う人物名をハイライト表示するハイライト表示手段である。ここでは、Ｂ川Ｏ子が指定されていることを示している。ここで、登録を行えば、対象人物７０２は、Ｂ川Ｏ子として対応付けられ、人物・顔データベース１０９に記憶される。
【００３９】
また、人物名入力メニュー703は、人物名候補アイコン、直接入力用アイコンとして構成しても良い。例えば、人物名候補アイコンは、EPGから取得した番組情報の出演者情報をリスト化しても良い。この時、個数は可変にすることができる。
【００４０】
また、ユーザが番組情報にない人物を登録し、メタデータ保存手段107に保存できるようにしておき、その情報を用いても良い。
ここでも、カーソルが用いられ、人物名候補アイコンと直接入力用アイコン706上をリモコン操作等で移動、選択可能なユーザインタフェースを構成することが可能である。
【００４１】
上記のように、人物と人物名が登録された場合は、顔特徴量抽出部117から抽出された特徴量を、人物・顔データベース要素401の形式で、人物・顔データベース109に登録する。
【００４２】
図６は、実施形態に係わる映像表示装置において、抽出を行う人物として例えば複数の人物が表示された場合に、ハイライト表示した人物と人物名が登録され、表示された人物と人物名が対応付けて記憶される手段を示す図である。
【００４３】
ここでは、映像表示装置１０１の表示部に、複数の人物が表示されている。
符号８０１は複数の人物が登場する映像シーンである。ここでは、符号802、符号803、符号804は、表示されている複数の人物である。
符号８０５は、符号803が付された人物を他の人物とは識別可能にハイライト表示する人物ハイライト手段である。
このように、表示画面の一部をハイライト表示することにより、ユーザに、特定の人物を指定可能に構成している。
図７は、実施形態に係わる映像表示装置で、人物・顔データベースへのデータの登録を含む動作を説明するフローチャートである。
符号Ｓ１０は、ここでの開始ステップである。続いて符号Ｓ１１を付したステップへ進む。
符号Ｓ１１は、映像表示装置１０１のコンテンツ保存手段１０８に保存されている録画コンテンツを表示するステップである。続いて符号Ｓ１２を付したステップへ進む。
【００４４】
符号Ｓ１２は、ユーザが録画コンテンツを見ながら、表示人物と人物名を対応付けて登録し、人物・顔データベース１０９へ記憶するステップである。続いて符号Ｓ１３を付したステップへ進む。
【００４５】
符号Ｓ１3は、人物・顔データベース１０９に記憶された情報に基づいて、人物名に対応する映像を検出するステップである。続いて符号Ｓ１４を付したステップへ進む。
【００４６】
符号Ｓ１4は、検出された人物名に対応する映像を、指定可能に表示するステップである。ユーザは、例えば、図３に示すような人物映像シーンを可視化したものの表示から、所望の映像シーンを指定することが可能である。続いて符号Ｓ15を付したステップへ進む。
【００４７】
符号Ｓ１5は、終了ステップであり、ここでの処理は終了する。
上記のように構成することによって、この実施の形態においては、ユーザが実際のコンテンツを見ながら、人物名と表示された人物を対応付け、登録することが可能になる。これによって、人物・顔データベース１０９の登録精度を向上させることが可能になる。また、分かり易いユーザ操作を実現することが可能になる。
【００４８】
（実施例２）
上記説明においては、説明の都合上、録画機能を備える映像表示装置について、映像シーンを検出するための映像コンテンツとして、予め録画されている録画映像コンテンツを用いて説明したが、これに限定されるものではない。
【００４９】
すなわち、この実施の形態においては、インターネット上の動画配信サイト等において、検索結果のサムネイル表示やコンテンツ表示の際に、検索キーワード中の人物名などを用いて、上記記憶された人物名に対応付けられた人物が登場する映像シーンの検出を用いて、サムネイルのコンテンツ中での表示位置を決定したり、コンテンツの表示方法を決定することが可能である。
【００５０】
尚、上記実施の形態は、実施段階では、その趣旨を逸脱しない範囲で、構成要素を種々変形して具体化することが可能である。
【符号の説明】
【００５１】
101…映像表示装置（映像コンテンツ蓄積・表示装置）、102…制御バス、103…制御部、104…ＲＯＭ、105…ＲＡＭ、106 …EPGデータ保存手段、107…メタデータ保存手段、108…コンテンツ保存手段、109…人物・顔データベース、111…通信部、112…チューナ、113…信号入出力部、114…表示画面生成手段、115…映像音声演算部、116…顔検出部、117…顔特徴量抽出部、118…顔認識部。
【図１】
2015038640.tif 000003
【図２】
2015038640.tif 000004
【図３】
2015038640.tif 000005
【図４】
2015038640.tif 000006
【図５】
2015038640.tif 000007
【図６】
2015038640.tif 000008
【図７】
2015038640.tif 000009
【図８】
2015038640.tif 000010
【手続補正書】
【提出日】平成22年5月31日(2010.5.31)
【手続補正１】
【補正対象書類名】図面
【補正対象項目名】全図
【補正方法】変更
【補正の内容】
【図１】
2015038640.tif 000011
【図２】
2015038640.tif 000012
【図３】
2015038640.tif 000013
【図４】
2015038640.tif 000014
【図５】
2015038640.tif 000015
【図６】
2015038640.tif 000016
【図７】
2015038640.tif 000017
【図８】
2015038640.tif 000018
【手続補正書】
【提出日】平成22年11月30日(2010.11.30)
【手続補正１】
【補正対象書類名】明細書
【補正対象項目名】００１８
【補正方法】変更
【補正の内容】
【００１８】
上記のように、人物名402と人物名に対応付けられた人物の顔の特徴量403が、人物・顔データベース109に構築され、記憶される。この記憶された人物名に対応付けられた人物が登場する映像シーンを、映像コンテンツから、顔の特徴量を用いた認識により検出することで、人物映像シーンが検出される。将来同じ人物の検出が行われることに備え、メタデータ保存手段107は、人物名と人物映像シーン（人物が登場する映像シーン）の位置についてのメタデータを生成し、コンテンツと関連付けて保存するようにしてもよい。
【手続補正２】
【補正対象書類名】明細書
【補正対象項目名】００１９
【補正方法】変更
【補正の内容】
【００１９】
人物名と人物映像シーンの位置についてのメタデータがすでに保持されている場合は、人物映像シーンの位置の検出処理を省略することができる。
図３は、実施形態に係わる映像表示装置において、映像コンテンツから抽出された人物映像シーンを示す図である。
符号501は映像コンテンツ中で検出された、人物映像シーンを示す例である。
符号502、符号503はそれぞれコンテンツの最初と最後を示している。
また、符号504、符号505、符号506、符号507は、上記人物が登場するそれぞれ、１番目、２番目、３番目、４番目の人物映像シーンの位置を示している。
映像表示装置へのコンテンツの表示において、例えば、この検出された人物映像シーンの位置の一部または全部を循環的に選択し、コンテンツのその位置のサムネイル等の静止画または動画を表示してもよい。
【手続補正３】
【補正対象書類名】明細書
【補正対象項目名】００３２
【補正方法】変更
【補正の内容】
【００３２】
まず、録画された録画コンテンツが映像表示装置１０１の映像コンテンツ表示部に表示される。ここでは、人物名との対応付けが行われる人物が表示される。  続いて、この人物との対応付けが行われる人物が表示された録画コンテンツに、表示人物との対応付けに用いられる人物名が重ねてリスト表示される。
【手続補正４】
【補正対象書類名】明細書
【補正対象項目名】００３４
【補正方法】変更
【補正の内容】
【００３４】
そして、上記のように、人物・顔データベース１０９に記憶された情報を用い、映像コンテンツから、人物名に対応付けられた人物が登場する映像シーンまたはその近傍の映像シーンが検出される。このとき、ここでは、上記のように、顔の特徴量を用いた検出が行われる。
【手続補正５】
【補正対象書類名】図面
【補正対象項目名】図１
【補正方法】変更
【補正の内容】
【図１】
2015038640.tif 000019
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
１個以上の映像コンテンツの一部である動画または静止画の画像を含む前記映像コンテンツの一覧表示を行う映像表示装置において、
人物の名前と前記人物の画像上の特徴量からなるデータベースと、
前記映像コンテンツの表示を行う映像コンテンツ表示手段と、
前記映像コンテンツの視聴中に前記映像コンテンツ表示手段により表示された人物と人物名の対応付けを行う人物対応付け手段と、
前記対応付けられた人物の画像上の特徴量を抽出する手段と、
前記抽出した人物の画像上の特徴量と人物名からなるデータを前記データベースに追加するデータベース更新手段と、
特定の人物の人物名を指定する手段と、
前記指定された人物名の人物が表示されるシーンを、前記データベースを用いて、前記映像コンテンツ中から検出し、検出したシーンの一部または全部の、映像コンテンツ中の位置またはその近傍を、前記一覧表示における前記映像コンテンツ中の動画または静止画の表示位置として用いる人物映像シーン検出手段と
を具備することを特徴とする映像表示装置。
【請求項２】
前記録画コンテンツの表示において、表示画面の一部をハイライト表示することにより、特定の人物を指定可能にする人物ハイライト手段をさらに備えることを特徴とする請求項１に記載の映像表示装置。
【請求項３】
前記表示人物との対応付けに用いられる人物名はリスト表示されることを特徴とする請求項１または２いずれか１項に記載の映像表示装置。
【請求項４】
前記映像コンテンツは予め録画されていること特徴とする請求項１乃至３いずれか１項に記載の映像表示装置。
【請求項５】
前記検出された人物映像シーンを指定可能に表示する表示手段をさらに備えることを特徴とする請求項１乃至４いずれか１項に記載の映像表示装置。
【請求項６】
前記特徴量は人物の顔の特徴量であることを特徴とする請求項１乃至５いずれか１項に記載の映像表示装置。
【請求項７】
１個以上の映像コンテンツの一部である動画または静止画の画像を含む前記映像コンテンツの一覧表示を行う映像表示方法において、
前記映像コンテンツの表示を行うステップと、
前記映像コンテンツの視聴中に表示された人物と人物名の対応付けを行うステップと、
前記対応付けられた人物の画像上の特徴量を抽出するステップと、
前記抽出した人物の画像上の特徴量と人物名からなるデータを前記データベースに追加するステップと、
特定の人物の人物名を指定するステップと、
前記指定された人物名の人物が表示されるシーンを、人物の名前と前記人物の画像上の特徴量からなるデータベースを用いて前記映像コンテンツ中から検出し、検出したシーンの一部または全部の、映像コンテンツ中の位置またはその近傍を、前記一覧表示における前記映像コンテンツ中の動画または静止画の表示位置として用いるステップと
を備えることを特徴とする映像表示方法。
【請求項８】
前記特徴量は人物の顔の特徴量であることを特徴とする請求項７に記載の映像表示方法。
【手続補正２】
【補正対象書類名】明細書
【補正対象項目名】０００７
【補正方法】変更
【補正の内容】
【０００７】
実施形態の映像表示装置は、１個以上の映像コンテンツの一部である動画または静止画の画像を含む前記映像コンテンツの一覧表示を行う映像表示装置において、人物の名前と前記人物の画像上の特徴量からなるデータベースと、前記映像コンテンツの表示を行う映像コンテンツ表示手段と、前記映像コンテンツの視聴中に前記映像コンテンツ表示手段により表示された人物と人物名の対応付けを行う人物対応付け手段と、前記対応付けられた人物の画像上の特徴量を抽出する手段と、前記抽出した人物の画像上の特徴量と人物名からなるデータを前記データベースに追加するデータベース更新手段と、特定の人物の人物名を指定する手段と、前記指定された人物名の人物が表示されるシーンを、前記データベースを用いて、前記映像コンテンツ中から検出し、検出したシーンの一部または全部の、映像コンテンツ中の位置またはその近傍を、前記一覧表示における前記映像コンテンツ中の動画または静止画の表示位置として用いる人物映像シーン検出手段とを備える。
【手続補正３】
【補正対象書類名】明細書
【補正対象項目名】０００８
【補正方法】削除
【補正の内容】